(57)【要約】【課題】従来の空気調和機においては、空気調和条件すなわち運転モード及び風量により、ユーザーの意思とは無関係に風向が決定してしまうという課題を有していた。【解決手段】、風向振り角範囲を風向振り角範囲1設定３、風向振り角範囲２設定４、風向振り角範囲３設定５と複数設けることと、通常操作するリモコン６の操作部に風向振り角範囲を選択可能としたことにより、空調条件すなわち運転モードや風量に関係なく、ユーザーの意思により通常操作するリモコン６の操作部から風向振り角範囲を選択することができる。【選択図】図１ 
2005265241.tif 000002
【特許請求の範囲】
【請求項１】
天井埋め込み型の室内機から室内空間への吹出し風向を制御可能とした空気調和機において、風向振り角範囲を複数設け、リモコンの操作部に前記風向振り角範囲を選択可能なスイッチを有する空気調和機。
【請求項２】
天井埋め込み型の室内機から室内空間への吹出し風向を制御可能とした空気調和機において、風向振り角範囲を複数設け、設置時になされる初期設定で前記風向振り角範囲を選択可能なスイッチを有する空気調和機。
【請求項３】
リモコンの操作部に風向自動と、風向手動を選択するスイッチを備え、前記風向自動設定時に選択した振り角の範囲で風向をスイングする機能を有することを特徴とする、請求項１〜２のいずれかに記載の空気調和機。
【請求項４】
リモコンの操作部に風向自動と、風向手動を選択するスイッチを備え、前記風向手動設定時に選択した振り角の範囲で風向を選択する機能を有することを特徴とする、請求項１〜２のいずれかに記載の空気調和機。
【請求項５】
リモコンの操作部に風向自動と風向手動を選択するスイッチを設け、前記風向自動設定時に選択した振り角の範囲で風向をスイングする機能と、スイング回数を検知する手段とを備え、水平振り角選択時に水平振り角スイングの所定の回数に１回垂直振り角スイングする機能を有することを特徴とする、請求項1〜３のいずれかに記載の空気調和機。
【請求項６】
室内熱交換器温度検出手段を備え、暖房運転時に室内熱交換器温度第１の所定値以下の場合風向を水平位置に固定し、第１の所定値を超えた場合選択した振り角の範囲で風向をスイングする機能を有することを特徴とする、請求項１〜３のいずれかに記載の空気調和機。
【請求項７】
暖房運転時に室内熱交換器温度が第２の所定値以上の場合風向を垂直位置に固定し、第２の所定値以下の場合選択した振り角の範囲で風向をスイングする機能を有することを特徴とする、請求項１〜６のいずれかに記載の空気調和機制御。
【発明の詳細な説明】
【技術分野】
【０００１】
本発明は、天井埋め込み型空気調和機の風向制御方法に関するものである。
【背景技術】
【０００２】
従来、この種の空気調和機の風向制御は、風量を減少しようとしたときに風向を垂直方向に変更するといったものがあった（例えば、特許文献１参照）。
【０００３】
図８は特許文献１に記載された従来の空気調和機の風向制御のフローチャートである。
【０００４】
まず、運転モードを検知するステップ１０１で現在の運転モードを認識し冷房運転か否かを判断する。冷房運転の場合、風向位置移行を検知するステップ１０２で風向位置の移行をするか否かの認識をし、風向位置の移行をする場合は、変更後風向位置を検知するステップ１０３で変更後の風向位置が水平近傍か否かの判断を行い、水平近傍への移行設定の場合、風向角度を垂直方向へ微調整して風向位置調整を行い、風量低下による吹き出し口への結露を防止している。
【特許文献１】特開２００３−２６９７７６号公報
【発明の開示】
【発明が解決しようとする課題】
【０００５】
しかしながら、前記従来の構成では、空気調和条件すなわち運転モード及び風量により、ユーザーの意思とは無関係に風向が決定してしまうという課題を有していた。
【０００６】
本発明は、前記従来の課題を解決するもので、風向振り角範囲を複数設けることと、通常操作するリモコンの操作部に前記風向振り角範囲を選択可能とした機能を有する空気調和機を提供することを目的とする。
【課題を解決するための手段】
【０００７】
前記従来の課題を解決するために、本発明の空気調和機は、風向振り角範囲を複数設け、リモコンの操作部に前記風向振り角範囲を選択可能なスイッチを設けたものである。
【０００８】
これによって、空調条件すなわち運転モードや風量に関係なく、ユーザーの意思でリモコンの操作部を用いて風向振り角範囲を選択することができる。
【０００９】
また、本発明の空気調和機は、リモコンの操作部に風向自動と風向手動を選択するスイッチを備え、風向自動設定時に選択した振り角の範囲で風向をスイングする機能を有するものである。
【００１０】
これによって、風向自動選択時にユーザーの意思により通常操作するリモコンの操作部から風向振り角範囲を選択しこの選択した振り角範囲で風向をスイングすることができる。
【発明の効果】
【００１１】
本発明の空気調和機は、空調条件すなわち運転モードや風量に関係なく、ユーザーの意思により操作が容易なリモコンの操作部から風向振り角範囲を選択することができる。
【発明を実施するための最良の形態】
【００１２】
第１の発明は、天井埋め込み型の室内機から室内空間への吹出し風向を制御可能とした
空気調和機において、風向振り角範囲を複数設け、リモコンの操作部に前記風向振り角範囲を選択可能なスイッチを有することにより、空調条件すなわち運転モードや風量に関係なく、ユーザーの意思により操作が容易な通常操作するリモコンの操作部から風向振り角範囲を選択することができる。
【００１３】
第２の発明は、天井埋め込み型の室内機から室内空間への吹出し風向を制御可能とした空気調和機において、風向振り角範囲を複数設け、設置時になされる初期設定で前記風向振り角範囲を選択可能なスイッチを有することにより、空調条件すなわち運転モードや風量に関係なく、ユーザーの意思により現地の初期設定時に風向振り角範囲を選択することができる。
【００１４】
第３の発明は、特に、第１または第２の発明の空気調和機の風向制御を、通常操作するリモコンの操作部に風向自動設定と、風向手動設定とを備え、前記風向自動設定時に選択した振り角の範囲で風向をスイングする機能を有することにより、風向自動選択時にユーザーの意思により風向振り角範囲を選択しこの選択した振り角範囲で風向をスイングすることができる。
【００１５】
第４の発明は、特に、第１または第２の発明の空気調和機の風向制御を、通常操作するリモコンの操作部に風向自動設定と、風向手動設定とを備え、前記風向手動設定時に選択した振り角の範囲で風向を固定選択する機能を有することにより、風向手動設定時にユーザーの意思により風向振り角範囲を選択しこの選択した振り角範囲で風向を固定することができる。
【００１６】
第５の発明は、特に、第１、第２または第３の発明の空気調和機の風向制御を、複数設けた風向振り角範囲に水平振り角設定と、前記風向振り角範囲に垂直振り角設定を有することと、通常操作するリモコンの操作部に風向自動設定と、風向手動設定と、前記風向自動設定時に選択した振り角の範囲で風向をスイングする機能と、前記スイング回数を検知する手段とを備え、水平振り角選択時に一定水平振り角スイング回数に１回垂直振り角スイングする機能を有することにより、ユーザーの意思により風向自動、水平振り角を選択した場合、風向振り角範囲を水平範囲でスイングし、一定回数に一回垂直振り角スイングして部屋の室温分布を均一にすることができる。
【００１７】
第６の発明は、特に、第１、第２または第３の発明の空気調和機の風向制御を、室内熱交換器温度検出手段を備え、暖房運転時に室内熱交換器温度が定まったしきい値以下の場合風向を水平位置に固定し、前記しきい値を超えた場合選択した振り角の範囲で風向をスイングする機能を有することにより、暖房運転時の室内熱交換器温度が低い時には風向を水平位置に固定して、ユーザーに直接冷風があたることを防止し、室内熱交換器温度が温風供給可能になる一定のしきい値以上になると、ユーザーが選択した風向振り角で風向をスイングとすることができる。
第７の発明は、特に、第１、第２または第３の発明の空気調和機の風向制御を、暖房運転時に室内熱交換器温度が定まったしきい値以上の場合風向を垂直位置に固定し、前記しきい値以下の場合選択した振り角の範囲で風向をスイングする機能を有することにより、暖房運転時の室内熱交換器温度が高い時に、風向を垂直位置に固定して、冷凍サイクルの凝縮温度上昇を抑制し、室内熱交換器温度が一定のしきい値以下になると、ユーザーが選択した風向振り角で風向をスイングとすることができる。
以下、本発明の実施の形態について、図面を参照しながら説明する。なお、この実施の形態によって本発明が限定されるものではない。
【００１８】
（実施の形態１）
図１は、本発明の第１の実施の形態における空気調和機の風向制御の概念図を示すもの
である。
【００１９】
図１において、天井埋め込み型室内機吹き出し口１に配設された、風向ルーバ２で風向を制御する。風向ルーバ２で制御する風向振り角範囲は風向振り角範囲1設定３、風向振り角範囲２設定４、風向振り角範囲３設定５と複数より構成され、リモコン６により風向振り角範囲を決定する。
図２は、本実施の形態における空気調和機の風向制御のフローチャートを示した図である。
図２において、風向制御１０は、風向振り角範囲１設定判断１１、風向振り角範囲２設定判断１２、風向振り角範囲設定決定１３、風向振り角範囲１設定処理１５、風向振り角範囲２設定処理１６、風向振り角範囲３設定処理１７より構成されている。
【００２０】
図１及び図２より空気調和機の風向制御の動作、作用について説明する。
【００２１】
ユーザーは、風向振り角範囲1設定３、風向振り角範囲２設定４、風向振り角範囲３設定５と複数ある風向振り角範囲から、自己の意思により、リモコン６で風向振り角範囲を選択し決定する。風向制御１０は、ユーザーが決定した風向振り角範囲を、風向振り角範囲１設定判断１１、風向振り角範囲２設定判断１２より判断し風向振り角範囲設定決定１３で決定する。
【００２２】
上記のことより、空調条件すなわち運転モードや風量に関係なく、ユーザーの意思により操作が容易な通常操作するリモコンの操作部から風向振り角範囲を選択することができる。
【００２３】
（実施の形態２）
図３は、本発明の第２の実施の形態における空気調和機の風向制御のフローチャートを示した図である。
図３において、風向制御２０は、現地設定風向振り角範囲１設定判断２１、現地設定風向振り角範囲２設定判断２２、風向振り角範囲設定決定３３より構成されている。
【００２４】
以上のように構成された空気調和機の風向制御について、図１及び図３より以下その動作、作用を説明する。
【００２５】
ユーザーは、風向振り角範囲1設定３、風向振り角範囲２設定４、風向振り角範囲３設定５と複数ある風向振り角範囲から、自己の意思により、現地設定で風向振り角範囲を選択し決定する。風向制御２０は、ユーザーが決定した風向振り角範囲を、風向振り角範囲１設定判断２１、風向振り角範囲２設定判断２２より判断し風向振り角範囲設定決定２３で決定する。
上記のことより、空調条件すなわち運転モードや風量に関係なく、ユーザーの意思により現地の初期設定時に風向振り角範囲を選択することができる。
【００２６】
（実施の形態３）
図４は、本発明の第３の実施の形態における空気調和機の風向制御のフローチャートを示した図である。
図４において、図１と同じ構成要素については同じ符号を用い、説明を省略する。
風向制御３０は、風向自動判断３１より構成されている。
以上のように構成された空気調和機の風向制御について、図１及び図４より以下その動作、作用を説明する。
ユーザーは、風向振り角範囲1設定３、風向振り角範囲２設定４、風向振り角範囲３設定５と複数ある風向振り角範囲から、自己の意思により、リモコン６で風向振り角範囲及び
風向自動または手動を選択し決定する。風向制御１０は、ユーザーが決定した風向振り角範囲を、風向振り角範囲１設定判断１１、風向振り角範囲２設定判断１２より判断し風向振り角範囲設定決定１３で決定する。そして風向自動選択時、風向振り角範囲設定決定１３で決定した風向振り角範囲で、風向ルーバ２をスイングして風向制御する。
上記のことより、風向自動選択時にユーザーの意思により風向振り角範囲を選択し、この選択した振り角範囲で風向をスイングすることができる。
（実施の形態４）
図４は、本発明の第４の実施の形態における空気調和機の風向制御のフローチャートを示した図である。
図１及び図４より空気調和機の風向制御の動作、作用について説明する。
ユーザーは、風向振り角範囲1設定３、風向振り角範囲２設定４、風向振り角範囲３設定５と複数ある風向振り角範囲から、自己の意思により、リモコン６で風向振り角範囲及び風向自動または手動を選択し決定する。風向制御３０は、ユーザーが決定した風向振り角範囲を、風向振り角範囲１設定判断１１、風向振り角範囲２設定判断１２より判断し風向振り角範囲設定決定１３で決定する。そして風向手動選択時、風向振り角範囲設定決定１３で決定した風向振り角範囲で、風向ルーバ２を固定して風向制御する。
上記のことより、風向手動設定時にユーザーの意思により風向振り角範囲を選択し、この選択した振り角範囲で風向を固定することができる。
（実施の形態５）
図５は、本発明の第５の実施の形態における空気調和機の風向制御のフローチャートを示した図である。
図５において、風向制御５１は、風向振り角範囲水平設定判断５２、風向自動判断５３、風向振り角範囲水平スイング処理５４、水平スイング回数カウント処理５５、水平スイング回数判断５５、風向振り角範囲垂直スイング処理５７より構成されている。
【００２７】
図１及び図５より空気調和機の風向制御の動作、作用について説明する。
【００２８】
ユーザーが自己の意思により、リモコン６で風向振り角範囲水平設定及び風向自動を選択決定すると、風向制御５１は風向振り角範囲水平でスイング処理５４を実施する。このとき水平スイング回数カウント処理でスイング回数をカウントし、水平スイング回数がｎ回以上になると、崇高振り角範囲垂直でスイング処理５７を実施する
上記のことより、ユーザーの意思により風向自動、水平振り角を選択した場合、風向振り角範囲を水平範囲でスイングし、一定回数に一回垂直振り角範囲で風向ルーバ２をスイングして部屋の室温分布を均一にすることができる。
（実施の形態６）
図６は、本発明の第６の実施の形態における空気調和機の風向制御のフローチャートを示した図である。
図６において、図１と同じ構成要素については同じ符号を用い、説明を省略する。
風向制御６１は、風向自動判断６２、運転モード判断６３、室内熱交温度検知手段６４、室内熱交温度判断６５より構成されている。
図１及び図６より空気調和機の風向制御の動作、作用について説明する。
【００２９】
ユーザーは、風向振り角範囲1設定３、風向振り角範囲２設定４、風向振り角範囲３設定５と複数ある風向振り角範囲から、自己の意思により、リモコン６で風向振り角範囲及び風向自動または手動を選択し決定する。風向制御６１は、ユーザーが決定した風向振り角範囲を、風向振り角範囲１設定判断１１、風向振り角範囲２設定判断１２より判断し風向振り角範囲設定決定１３で決定する。風向自動選択時、風向振り角範囲設定決定１３で決定した風向振り角範囲で、風向ルーバ２をスイングして風向制御する。次に運転モード判定６３により暖房運転と判断した場合、室内熱交温度検知手段６４で室内熱交温度を検知し、室内熱交温度判断６５にて、室内熱交温度が一定のしきい値ＴｃＬ以下かの判断を
行い、室内熱交温度が一定のしきい値ＴｃＬ以下のときは風向ルーバ２を水平固定し、ＴｃＬ超のときは風向振り角範囲設定決定１３で決定した風向振り角範囲で風向ルーバ２をスイングする。
上記のことより、暖房運転時の室内熱交換器温度が低い時には風向を水平位置に固定して、ユーザーに直接冷風があたることを防止し、室内熱交換器温度が温風供給可能になる一定のしきい値以上になると、ユーザーが選択した風向振り角で風向をスイングとすることができる。
（実施の形態７）
図７は、本発明の第７の実施の形態における空気調和機の風向制御のフローチャートを示した図である。
図７において、図１と同じ構成要素については同じ符号を用い、説明を省略する。
風向制御７１は、風向自動判断７２、運転モード判断７３、室内熱交温度検知手段７４、室内熱交温度判断７５より構成されている。
図１及び図６より空気調和機の風向制御の動作、作用について説明する。
【００３０】
ユーザーは、風向振り角範囲1設定３、風向振り角範囲２設定４、風向振り角範囲３設定５と複数ある風向振り角範囲から、自己の意思により、リモコン６で風向振り角範囲及び風向自動または手動を選択し決定する。風向制御７１は、ユーザーが決定した風向振り角範囲を、風向振り角範囲１設定判断１１、風向振り角範囲２設定判断１２より判断し風向振り角範囲設定決定１３で決定する。風向自動選択時、風向振り角範囲設定決定１３で決定した風向振り角範囲で、風向ルーバ２をスイングして風向制御する。次に運転モード判定７３により暖房運転と判断した場合、室内熱交温度検知手段７４で室内熱交温度を検知し、室内熱交温度判断７５にて、室内熱交温度が一定のしきい値Ｔｃｈ以上かの判断を行い、室内熱交温度が一定のしきい値Ｔｃｈ以上のときは風向ルーバ２を垂直固定し、Ｔｃｈ未満のときは風向振り角範囲設定決定１３で決定した風向振り角範囲で風向ルーバ２をスイングする。
上記のことより、暖房運転時の室内熱交換器温度が高い時に、風向を垂直位置に固定して、冷凍サイクルの凝縮温度上昇を抑制し、室内熱交換器温度が一定のしきい値以下になると、ユーザーが選択した風向振り角で風向をスイングとすることができる。
【産業上の利用可能性】
【００３１】
以上のように、本発明にかかる空気調和機の風向制御は、空調条件すなわち運転モードや風量に関係なく、ユーザーの意思により通常操作するリモコンの操作部から風向振り角範囲を選択することができるので、天井吊り型室内機、壁掛け型室内機等の用途にも適用できる。
【図面の簡単な説明】
【００３２】
【図１】本発明の実施の形態１における空気調和機の風向制御の概念図
【図２】本発明の実施の形態１における空気調和機の風向制御のフローチャート
【図３】本発明の実施の形態２における空気調和機の風向制御のフローチャート
【図４】本発明の実施の形態３及び４における空気調和機の風向制御のフローチャート
【図５】本発明の実施の形態５における空気調和機の風向制御のフローチャート
【図６】本発明の実施の形態６における空気調和機の風向制御のフローチャート
【図７】本発明の実施の形態７における空気調和機の風向制御のフローチャート
【図８】従来の空気調和機の風向制御の概念図
【符号の説明】
【００３３】
３  風向振り角範囲1設定
４  風向振り角範囲２設定
５  風向振り角範囲３設定
６  リモコン
１０、２０、３１、５１、６１、７１  風向制御
３２、５３、６２、７２  風向自動判定
５４  風向振り角範囲水平スイング
５７  風向振り角範囲垂直スイング
６４、７４  室内熱交温度検知手段
【図１】
2005265241.tif 000003
【図２】
2005265241.tif 000004
【図３】
2005265241.tif 000005
【図４】
2005265241.tif 000006
【図５】
2005265241.tif 000007
【図６】
2005265241.tif 000008
【図７】
2005265241.tif 000009
【図８】
2005265241.tif 000010